(57)【要約】      （修正有）【課題】荷重負荷が不均等に作用する片持ち把手を実現できる真空二重構造の飲料容器を提供する。【解決手段】容器体１と容器体に装着される把手体２とを備え、容器体１が開口縁を密封した金属製の内外容器部で形成される真空二重容器であって、開口部の外周面に外容器部の段差１４を介して径小周壁１５を形成すると共に、径小周壁１５に螺条１６を設けてなり、把手体２がリング部と把手部２２で構成され、リング部の内周面に螺条１６に螺合する螺凹条を設けると共に、螺凹条の上方内周面が径小周壁全周に対する密着面２４に形成してなる。【選択図】図７
2018095281.tif 000002
【特許請求の範囲】
【請求項１】
容器体と容器体に装着される把手体とを備え、容器体が開口縁を密封した金属製の内外容器部で形成される真空二重容器であって、開口部外周面に外容器部の段差を介して径小周壁を形成すると共に、前記径小周壁に螺条を設けてなり、把手体がリング部と把手部で構成され、前記リング部の内周面に前記螺条に螺合する螺凹条を設けると共に、螺凹条の上方内周面が前記径小周壁全周に対する密着面に形成してなることを特徴とする飲料容器。
【請求項２】
把手体のリング部を径小周壁に螺合装着した際に、リング部外周面が容器体と面一となる形状に形成してなる請求項１記載の飲料容器。
【請求項３】
リング部の上方外周面に径小段差を設けると共に、容器体の開口部に装着され、且つ装着時に前記径小段差上に位置してリング部外周面と面一となる周面部を備えた飲み口体を付属させてなる請求項１又は２記載の飲料容器。
【請求項４】
容器体の開口部に螺合装着可能であり、上方端から飲料缶保持用の舌片を垂設してなる缶保持体を付属させてなる請求項１乃至３記載の何れかの飲料容器。
【請求項５】
容器体の開口部に螺合装着可能であり、且つ装着時に容器体の開口部を密閉する蓋栓体を付属させてなる請求項１乃至４記載の何れかの飲料容器。
【発明の詳細な説明】
【技術分野】
【０００１】
本発明は、真空二重構造の飲料容器に関するものである。
【背景技術】
【０００２】
薄金属（ステンレス）製真空二重構造の容器（マグカップ）は、周知のとおり外容器部内に内容器部を配すると共に両者間に空隙を備えるようにして開口縁で密封して断熱容器体が形成され、この断熱容器体に樹脂製の適宜な栓体や蓋体を装着して商品化している。
【０００３】
特に直接容器から喫飲するタイプの製品は把手を備えている。例えば特許文献１，２に開示されているように、把手は上下二か所で断熱容器体に装着されている構造が採用されている。
【０００４】
また特許文献３，４には、片持ち構成の把手を断熱容器体の肩部に装着する肩部材に付設した容器が示されている。この肩部材は相応の厚みを備えており、外容器部の肩部直下位置に凹部を形成し、肩部材の内周面突条を嵌め殺し状態で嵌合して容器体に装着している。
【０００５】
また断熱容器体は、特許文献５に示すように断熱容器体に断熱蓋体を装着して、スープ容器としても使用されている。
【先行技術文献】
【特許文献】
【０００６】
【特許文献１】特開２００８−２６０５４４号公報図２。
【特許文献２】特開２０１３−２５２２２０号公報図１。
【特許文献３】特開平７−９５９０７号公報図６。
【特許文献４】特開２００８−２３９１６４号公報図２。
【特許文献５】特開２０１６−１６９０４２号公報。
【発明の概要】
【発明が解決しようとする課題】
【０００７】
前記した特許文献１，２に開示した把手を備えた飲料容器においては、把手が上下二か所で容器体に連結されているために容易に外す事ができない。また特許文献３，４に開示した肩部材に片持ち構造で把手を設けた飲料容器においては、基本的に肩部材を容器体から着脱する構造ではない。
【０００８】
従って把手を備えた飲料容器は、把手部分を取りはずことが無いので、喫飲に際して肩部材と容器体の間隙に飲料が侵入しても、その洗浄が容易ではない。
【０００９】
また片持ち構造の把手を備えた肩部材を容器体に装着した容器（特許文献３，４の容器）では、片持ち部材に荷重が加わるために、相応の堅牢性が求められる為に、肩部材は相応の厚みが要求され、且つ外容器部の外周面凹部に嵌合装着するものであるから、肩部材が容器体の外周面から突出しており外観上容器体との一体感に欠けるというデザイン上の課題もある。
【００１０】
更にこの種の断熱容器は、断熱容器体と特定の部材（蓋体・栓体等）の組み合わせで構成されており、当該使用目的が特定されている。
【００１１】
そこで本発明は、片持ち構造の把手を備え、また多用途対応の新規な飲料容器を提案したものである。
【課題を解決するための手段】
【００１２】
本発明の請求項１記載に係る飲料容器は、容器体と容器体に装着される把手体とを備え、容器体が開口縁を密封した金属製の内外容器部で形成される真空二重容器であって、開口部外周面に外容器部の段差を介して径小周壁を形成すると共に、前記径小周壁に螺条を設けてなり、把手体がリング部と把手部で構成され、前記リング部の内周面に前記螺条に螺合する螺凹条を設けると共に、螺凹条の上方内周面が前記径小周壁全周に対する密着面に形成してなることを特徴とするものである。また請求項２記載に係る飲料容器は、更に把手体のリング部を径小周壁に螺合装着した際に、リング部外周面が容器体と面一となる形状に形成してなるものである。
【００１３】
而して容器体に対して把手体を螺合装着するため着脱が容易であり、洗浄等に便利であると共に、後述するように多用途容器体に対して把手容器とすることができる。更に片持ち支持の把手の場合には、リング部に対して不均等な負荷が加わるが、特にリンク部の上方内周面を容器体の径小周壁に密着させるので、リング部の変形が抑えられ螺合外れが生じ難い。而も容器体は内容物の注出を容易にするために広口であると共に、且つ容量をできるだけ大きくするために、内外容器部の間隔が小さい場合に、径小周壁の段差幅を小さくしなければならない。この段差と一致する厚みのリング部（面一構成）を採用しても、リング部の前記の密着嵌合構造によって段差幅の小さくとも対応可能となるものである。
【００１４】
また本発明の請求項３記載の飲料容器は、特にリング部の上方外周面に径小段差を設けると共に、容器体の開口部に装着され、且つ装着時に前記径小段差上に位置してリング部外周面と面一となる周面部を備えた飲み口体を付属させてなるものである。
即ち飲み口体としては種々の構造を採用することができるが、容器体に装着（開口部に圧入装着）した際に、リング部の径小段差を上方から押圧する周面部を備えることによって、使用時にリング部に加わる負荷に基づくリング部の歪みをより以上防止するものであり、面一とすることで外観上の連続性が発揮され、物品としての一体感を醸し出す。
【００１５】
また本発明の請求項４記載の飲料容器は、特に容器体の開口部に装着可能であり、上方端から飲料缶保持用の舌片を垂設してなる缶保持体を付属させてなるもので、把手体や飲み口体に替えて容器体に缶保持体を装着（径小周壁に螺合装着又は開口部に嵌合装着）すると、飲料缶の保温ホルダーとして使用できる。即ち舌片を押し拡げるようにして飲料缶の下方部分を容器体内に収納すると、舌片が抵抗となり飲料缶の容器体からの離脱を防止できると共に、収納状態のまま喫飲可能である。
【００１６】
また本発明の請求項４記載の飲料容器は、特に容器体の開口部に装着可能であり、且つ装着時に容器体の開口部を密閉する蓋栓体を付属させてなるもので、把手体や飲み口体に替えて容器体に密閉蓋体を装着（径小周壁に螺合装着又は開口部に嵌合装着）すると、保温スープカップとして使用できる。
【発明の効果】
【００１７】
本発明の構成は上記のとおりで、片持ち構造の把手体に加わる荷重負荷による螺合装着時の歪み発生を防止する構造を採用して、把手体の螺合装着を実現し、これによって片持ち構造の把手体の着脱を自在とし、洗浄等に利便なものとしたものである。
【図面の簡単な説明】
【００１８】
【図１】本発明の実施形態の容器体の説明図で（イ）は斜視図（ロ）は断面図。
【図２】同容器体、把手体、飲み口体の組み合わせの分解斜視図。
【図３】同使用状態時の斜視図。
【図４】同断面図（飲み口体の説明図）。
【図５】同図（把手体の説明図）。
【図６】同把手体の断面図。
【図７】同容器体と把手体と飲み口体の装着部分の拡大断面図。
【図８】同容器体と缶保持体の組み合わせ分解斜視図。
【図９】同使用状態の説明図。
【図１０】同缶保持体の断面図。
【図１１】同容器体と蓋栓体の組み合わせ分解斜視図。
【図１２】同使用時の全体説明図。
【図１３】同断面図。
【発明を実施するための形態】
【００１９】
次に本発明の実施形態について説明する。実施形態に示したマグカップは、容器体１、把手体２、飲み口体３、缶保持体４、密閉蓋体５で構成されるもので、使用に際しては、容器体１と把手体２と飲み口体３の組み合せ、容器体１と缶保持体４の組み合わせ、容器体１と密閉蓋体５の組み合わせという何れかの方式を選択できるものである。
【００２０】
容器体１は、所謂マグカップと称される金属製の内容器部１１と外容器部１２で構成され、開口縁を密封して形成した真空二重容器であって、開口部１３の外周面を、段差１４を介して径小周壁１５を形成すると共に、前記径小周壁１５に螺条１６を設けたものである。
【００２１】
把手体２は、リング部２１と、リング部２１から一体に垂設形成された把手部２２とで構成され、リング部２１は段差１４に対応する厚さに形成すると共に、内周面に前記螺条１６と螺合する螺凹条２３を設け、前記螺凹条２３の上方の内周面は、径小周壁１５に密着する密着面２４に形成したものであり、更に上方外周面に径小段差２５を設けてなる。
【００２２】
飲み口体３は、容器体１の開口部１３に装着され、周壁部３１と前記開口部１３を塞ぐ蓋板部３２とで構成され、周壁部３１は逆Ｕ状断面を備え、内壁３１１がパッキン３１２を設けて開口部１３に圧入して嵌合装着され、外壁３１３は、その下縁が径小段差２５を押圧状態となり、且つリング部２１の外周面と面一となるように形成したものである。
【００２３】
蓋板部３２は、内壁３１１の底方に設けたもので、蓋板部３２の一方側には流出口３２１を設けると共に、前記流出口３２１を開閉する開閉蓋３２２を設けてなり、前記開閉蓋３２２は、流出口を閉口する蓋部の両側に支持腕３２３を設け、前記支持腕３２３の端部を内壁３１１に、開閉蓋３２２が回動自在となり且つ全閉時及び全開時に係止する適宜な係止部を備えて枢支したものである。
【００２４】
缶保持体４は、容器体１の開口部１３に被冠装着可能な筒状体で缶保持機能を備えた部材であり、図示例は装着筒部４１の内周面に螺条１６と螺合する螺子部４２を設けてなり、前記装着筒部４１の上端から内方に折り返して垂設した舌片４３で構成したもので、前記舌片４３は、一般的な飲料缶の規格に対応する内径を備えると共に、適宜間隔で切込４４を設けることで拡径に対する反発弾性力が生ずるようにしているものである。
【００２５】
密閉蓋体５は、断熱構造で容器体１の開口部１３に螺合装着可能であり、且つ装着時に容器体１の開口部１３を密閉する機能を備えたもので、図示例は、外枠部材５１と栓部材５２で構成されているものである。
【００２６】
外枠部材５１は、容器体１の径小周壁１５の外周に位置する外壁部５１１と、容器体１の開口縁から開口部１３に垂設する係止壁面部５１２とを備え、外壁部５１１の内周面に螺条１６と螺合する螺子部５１３を設け、係止壁面部５１２の内周面には係止突部５１４を設けたものである。
【００２７】
栓部材５２は、下縁にパッキン５２１を設けて容器体１の開口部１３に圧入して密閉する栓体であって、断熱材５２２を内装すると共に、上方外周に係止突部５１４と係合する係止受部５２３を設けてなり、外枠部材５１の下方から差し入れて装着して一体とするものである。
【００２８】
次に前記の各部材の組み合わせての使用について説明する。容器体１と把手体２と飲み口体３の組み合わせ使用は、容器体１の径小周壁１５に把手体２のリング部２１を螺合装着し、飲み口体３を容器体１の開口部１３に圧入し、容器体１の開口縁を覆うように、且つ周壁部３１の外壁３１３の下端縁でリング部２１の径小段差２５を押圧するようにして装着するものである。
【００２９】
而して容器体１に適宜な飲料を入れて把手部２２を保持し、開閉蓋３２２を開口して周壁部３１を口当て部として喫飲するものである。特に把手部２２が片持ち支持であっても、リング部２１の密着面２４で径小周壁１５を確りと抱持しているものであり、且つ飲み口体３の周壁部３１でリング部２１を抑え込んでいるので、リング部２１の変形が抑えられ、螺条１６と螺凹条２３の螺合が解除されることが無い。
【００３０】
また容器体１と缶保持体４の組み合わせ使用は、容器体１の径小周壁１５に缶保持体４を螺合装着して使用するもので、飲料缶Ａを缶保持体4の上方から容器体１に差し入れると、舌片４３が僅かに拡径され、その反発弾性力が飲料缶Ａの抜け止めとして作用し、飲料缶Ａの収納を維持することになる。
【００３１】
また容器体１密閉蓋体５の組み合わせ使用は、従前の携帯用の断熱スープカップと同様に、密閉蓋体５の装着で容器体１内に収納したスープ（液体食品）の携帯に使用することができるものである。
【符号の説明】
【００３２】
１      容器体
１１    内容器部
１２    外容器部
１３    開口部
１４    段差
１５    径小周壁
１６    螺条
２      把手体
２１    リング部
２２    把手部
２３    螺凹条
２４    密着面
２５    径小段差
３      飲み口体
３１    周壁部
３１１    内壁
３１２    パッキン
３１３    外壁
３２    蓋板部
３２１    流出口
３２２    開閉蓋
３２３    支持腕
４      缶保持体
４１    装着筒部
４２    螺子部
４３    舌片
４４    切込
５      密閉蓋体
５１    外枠部材
５１１    外壁部
５１２    係止壁面部
５１３    螺子部
５１４    係止突部
５２    栓部材
５２１    パッキン
５２２    断熱材
５２３    係止受部
【図１】
2018095281.tif 000003
【図２】
2018095281.tif 000004
【図３】
2018095281.tif 000005
【図４】
2018095281.tif 000006
【図５】
2018095281.tif 000007
【図６】
2018095281.tif 000008
【図７】
2018095281.tif 000009
【図８】
2018095281.tif 000010
【図９】
2018095281.tif 000011
【図１０】
2018095281.tif 000012
【図１１】
2018095281.tif 000013
【図１２】
2018095281.tif 000014
【図１３】
2018095281.tif 000015